(57)【特許請求の範囲】
【請求項１】
地中に鉛直方向に埋設した配管外周の止水構造であって、弾性体で形成した止水シートの配管挿通孔の直径を前記配管の外径より小さめに形成し、前記止水シートを、前記配管の地中埋設部の外周面と前記配管挿通孔の内周縁とを水密状態で密着させて水平方向に設置したことを特徴とする配管外周の止水構造。
【請求項２】
前記配管が、水田に設置された水位設定器に接続される排水縦管であることを特徴とする請求項１記載の配管外周の止水構造。
【発明の詳細な説明】
【０００１】
【発明の属する技術分野】
本発明は、配管外周の止水構造に関し、詳しくは、水田等の水耕地や池等の底から鉛直方向に立ち上がるように設置された配管の外周面に沿って水耕地内等の水が地中に流出してしまうことを防止するための止水構造に関する。
【０００２】
【従来の技術】
水田の各耕作区内の水位を所定水位に保つための手段として、従来の堰板に代えて水位設定器が用いられるようになってきている。この水位設定器は、鉛直方向に立設した排水縦管の上端に、上下方向にスライド可能な筒体を設けたものであって、筒体の上端の高さを調節することにより、従来よりも確実な水位設定を行えるように形成されている（特開平１１−３２３８８８号公報参照）。
【０００３】
【発明が解決しようとする課題】
ところが、上述の水位設定器は、その構造上、水位設定器の下半部や排水縦管が耕作区の地中に鉛直方向に埋設された状態になっているため、前記筒体を操作する際の振動、車両の走行や人の歩行による振動、耕作区内の作業による振動等によって排水縦管が振動し、この振動が原因で排水縦管外周面と周囲の土砂との間に隙間が発生することがある。このような隙間が発生すると、耕作区内の水（用水）が隙間を伝わって地中深くまでほとんど抵抗もなく流下し、下流側の配管の設置状態や下層の土砂の性状によっては大量の水が流出してしまい、耕作区内の水位が低下してしまうおそれがあった。
【０００４】
そこで本発明は、水田耕作区に設置された水位設定器の排水縦管のように、地中に鉛直方向に埋設した配管の外周面を伝わって水が流下することを防止できる配管外周の止水構造を提供することを目的としている。
【０００５】
【課題を解決するための手段】
上記目的を達成するため、本発明の配管外周の止水構造は、地中に鉛直方向に埋設した配管外周の止水構造であって、弾性体で形成した止水シートの配管挿通孔の直径を前記配管の外径より小さめに形成し、前記止水シートを、前記配管の地中埋設部の外周面と前記配管挿通孔の内周縁とを水密状態で密着させて水平方向に設置したことを特徴とし、特に、前記配管が、水田に設置された水位設定器に接続される排水縦管であることを特徴としている。
【０００６】
【発明の実施の形態】
図は本発明の配管外周の止水構造を水田耕作区の水位設定器に適用した一形態例を示すものであって、図１は水位設定器の設置状態を示す縦断面図、図２は止水シートを設けた排水縦管を接続した状態の水位設定器の縦断面図、図３は同じく斜視図である。
【０００７】
まず、水位設定器１０は、角筒状の排水枡１１と、該排水枡１１の底板１２に設けた排水口１３に接続される鉛直方向の排水縦管１４と、排水口１３に上下方向に摺動可能に装着された水位設定用の筒体１５とにより形成されている。前記筒体１５は、水密性と適度な摺動抵抗とを得るためのゴム製シールパッキン１６を介して排水口１３に取付けられており、底板１２に対して任意の高さに保持できるように形成されている。また、筒体１５には把手１７が設けられており、排水枡１１の前面開口両側には、土砂の流入を防止する堰板１１ａを取付けるための堰板取付部１１ｂが設けられている。
【０００８】
なお、水位設定器における各部の形状や材料は任意であり、例えば、排水枡１１の形状は、図４の排水枡１１１に示すように、横断面が半円形状であってもよく、図５の排水枡１１２に示すように、横断面が矩形状であってもよい。また、排水枡の材質も、合成樹脂やコンクリート等で形成することができる。
【０００９】
このように形成された水位設定器１０は、図１に示すように、排水枡１１に接続した排水縦管１４の下端に、排水路１８に至る水平乃至下り勾配を有する排水横管１９をエルボ１９ａを介して接続した状態で、水田耕作区２０の畦畔２１部分や農道部分に設置される。
【００１０】
そして、上記水位設定器１０を水田耕作区２０に設置する際には、耕作区下方の地中に鉛直方向に埋設される配管、すなわち、排水縦管１４の外周に止水シート２２を水平方向に設置する。
【００１１】
止水シート２２は、その中心部に配管挿通孔２３を有するものであって、この配管挿通孔２３に配管を挿入したときに、配管外周面と配管挿通孔２３の内周縁とが水密状態で密着するように形成されている。このとき、止水シート２２をゴムのような弾性体で形成し、かつ、配管挿通孔２３の直径を配管外径より小さめに形成し、配管挿通孔２３に配管を挿入する際に止水シート２２を引き延ばした状態で行うことにより、配管挿入後の両者の密着を自動的にかつ確実に行うことができる。
【００１２】
なお、止水シート２２の外周をプラスチックシートやプラスチックフィルムで形成し、配管挿通孔２３の付近のみをゴム等の弾性材料で形成することもでき、全体をプラスチックシートやプラスチックフィルムで形成し、配管外周面と配管挿通孔２３の内周縁とを別の部材でシールするようにしてもよい。
【００１３】
このように、地中に鉛直方向に埋設された排水縦管１４の外周に水平方向の止水シート２２を設置しておくことにより、排水縦管１４に振動や外力が加わって管外周面と周囲の土砂との間に隙間が発生し、この隙間を伝わって水が流下したとしても、止水シート２２によって流下する水をせき止めることができる。このとき、せき止められた水が止水シート２２の上面に沿って流れようとするが、止水シート２２の上面には土圧が作用しており、土砂と止水シート２２との間に隙間が発生することはほとんどないので、水が流れたとしてもごく僅かな量である。
【００１４】
したがって、排水縦管１４と周囲の土砂との間に大きな隙間が発生したとしても、耕作区内の水が外部に大量に流出してしまうことを防止でき、耕作区内の水位を、水位設定器１０で設定した水位に確実に維持することができる。これにより、耕作用水の無駄を無くすことができ、肥料や農薬の流出も防止できる。
【００１５】
なお、前記止水シート２２の大きさは、配管の径や、振動等が加わったときの配管の移動量、止水シート２２の埋設深さによって異なるが、止水シート２２を大きくし過ぎると、設置時に大きな穴を掘らなければなくなるので、止水性を損なわない程度で小さくしておくことが望ましく、配管外径の２〜４倍、通常は３倍程度が最適である。同様に、止水シート２２の埋設深さも、配管径等によって適宜に設定できるが、穴の深さを考慮すると、地面（水底）から２０〜５０ｃｍ程度が最適である。また、止水シート２２の平面形状は任意であり、四角形でも円形でもよい。厚みも任意であり、強度と重量とを考慮して決定すればよく、通常は数ｍｍ程度が適当である。さらに、止水シート２２を設置した排水縦管１４とその上方の配管や機器との接続方法も任意であり、例えば本形態例では排水縦管１４内に排水口１３に繋がる管体を挿入するようにしているが、排水縦管１４の上端を上方の配管や機器に挿入するようにしてもよい。
【００１６】
【発明の効果】
以上説明したように、本発明の配管外周の止水構造によれば、鉛直方向に埋設した配管外周の周囲に隙間が発生しても、隙間を伝わって水が流下することを確実に防止できる。特に、水田耕作区の水位の設定に用いられる水位設定器に接続した排水縦管部分に適用することにより、耕作区内の用水の流出を防止して耕作区内を所定水位に維持しておくことができる。
【図面の簡単な説明】
【図１】  本発明を水位設定器に適用した一形態例を示す縦断面図である。
【図２】  止水シートを設けた排水縦管を接続した状態の水位設定器の縦断面図である。
【図３】  同じく水位設定器の斜視図である。
【図４】  排水枡の他の形状例を示す平面図である。
【図５】  排水枡のさらに他の形状例を示す平面図である。
【符号の説明】
１０…水位設定器、１１…排水枡、１４…排水縦管、１５…水位設定用の筒体、１８…排水路、１９…排水横管、１９ａ…エルボ、２０…水田耕作区、２１…畦畔、２２…止水シート、２３…配管挿通孔
【図１】
0003859942.tif 000002
【図２】
0003859942.tif 000003
【図３】
0003859942.tif 000004
【図４】
0003859942.tif 000005
【図５】
0003859942.tif 000006